(57)【要約】【課題】  ローダーパネルと前面パネルの孔の間の上下及び左右の隙間が異なることを防止すると共に、ディスクローダーが前後にスライドする際に異音が生じてしまうことを防止することができる光ディスク再生装置を提供する。【解決手段】  筐体と、前面パネルと、ディスクローダーと、ディスクローダーの前面に固定されるローダーパネルと、筐体に固定されディスクローダーの上下方向及び左右方向の移動を抑制するよう前記ディスクローダーを保持するローダー保持部と、光ディスクに記録されているデータを再生するディスク再生部とを備え、ディスクローダーは、左右側面にそれぞれ中央部分が内側に屈折したくさび型溝部を備え、ローダー保持部は、ディスクローダーの左右側面に備えるくさび型溝部をそれぞれ内側に押圧する弾性体を備える。【選択図】      図１
2008257769.tif 000002
【特許請求の範囲】
【請求項１】
光ディスクを回転駆動させて光ディスクに記録されているデータを再生する光ディスク再生装置において、
筐体と、
前記筐体に固定され貫通する孔が形成された前面パネルと、
前記筐体の外部から前記孔を通過して前後にスライドすることにより光ディスクを前記前面パネルの前方から前記筐体の内部へ搬送するディスクローダーと、
前記ディスクローダーの前面に固定され前記ディスクローダーが前記筐体の内部にスライドすることにより前記前面パネルの前記孔を塞ぐローダーパネルと、
前記筐体に固定され前記ディスクローダーの上下方向及び左右方向の移動を抑制するよう前記ディスクローダーを保持するローダー保持部と、
前記筐体の内部に固定され前記ディスクローダーが搬送した光ディスクに記録されているデータを再生するディスク再生部とを備え、
前記ディスクローダーは、左右側面にそれぞれ中央部分が内側に屈折したくさび型溝部を備え、
前記ローダー保持部は、前記ディスクローダーの左右側面に備える前記くさび型溝部をそれぞれ内側に押圧する弾性体を備えることを特徴とする光ディスク再生装置。
【請求項２】
請求項１記載の光ディスク再生装置において、
前記ディスクローダーは、前記くさび型溝部の前方部分及び後方部分に当該くさび型溝部より更に内側に湾曲した凹部を備え、
前記弾性体は、前記くさび型溝部及び前記凹部を押圧する部分に湾曲部を備えることを特徴とする光ディスク再生装置。
【請求項３】
請求項１または請求項２記載の光ディスク再生装置において、
前記ローダー保持部は、前記ディスクローダーの上面及び下面に当接する凸部を備えることを特徴とする光ディスク再生装置。
【請求項４】
請求項１乃至請求項３のいずれかに記載の光ディスク再生装置において、
前記弾性体は、バネであることを特徴とする光ディスク再生装置。
【発明の詳細な説明】
【技術分野】
【０００１】
本発明は、光ディスクに記録されているデータを再生する光ディスク再生装置に関する。
【背景技術】
【０００２】
図６は、従来の光ディスク再生装置の概略構成を示す斜視図である。
光ディスク再生装置１００は、筐体２、前面パネル３、ディスクローダー４、ローダーパネル５、ディスク再生部６、図示しない操作部、ローダー保持部、ローダー駆動部及び制御部を備える。
【０００３】
制御部は、光ディスク再生装置１００の図示しない操作部から出力された信号に基づいて、ディスク再生部６の制御及びローダー駆動部の制御等を行う。
【０００４】
前面パネル３は、貫通する孔３０１を備え、筐体２の前面に固定されている。
ディスクローダー４は、上面に光ディスク２０を保持するディスク保持部４０１を備える。ローダー駆動部は、制御部の制御により、ディスクローダー４を前後にスライドさせ、孔３０１より前方に突出する位置から筐体２の内部の位置までの間をスライドさせる。
【０００５】
ディスクローダー４は、ローダー駆動部によって、光ディスク２０をディスク保持部４０１に保持した状態で孔３０１より前方に突出する位置から筐体２の内部へ搬送する。また、ディスクローダー４は、ローダー駆動部によって、光ディスク２０を筐体２の内部から孔３０１より前方に突出する位置へ搬送する。
【０００６】
ローダー保持部は、ディスクローダー４の左右となる位置に配設された状態で筐体２に固定され、ディスクローダー４が前後にスライドする場合において、ディスクローダー４が上下方向または左右方向に移動することを抑制するようディスクローダー４を保持する。
【０００７】
ローダーパネル５は、直方体を成し、接着剤によりディスクローダー４の前面に固定される。
【０００８】
ローダーパネル５の水平方向及び垂直方向の長さは、前面パネル３の孔３０１の水平方向及び垂直方向の長さより小さい。ローダーパネル５は、ディスクローダー４が筐体２の内部にスライドしたときに前面が前面パネル３の前面と略同一面となるようにディスクローダー４に固定される。
【０００９】
ディスク再生部６は、筐体２の内部に固定され、図示しないターンテーブル、クランパ、スピンドルモータ及び光ピックアップを備える。ディスク再生部６は、制御部の制御により、ディスクローダー４によって筐体２の内部に搬送された光ディスク２０の中心孔２１をターンテーブルとクランパにより狭持し、スピンドルモータを回転させて光ディスク２０を回転させる。
【００１０】
光ピックアップは、スピンドルモータにより回転させた光ディスク２０に記録されているデータを読み取り再生を行う。
【００１１】
以上の構成により、光ディスク再生装置１００は、ディスクローダー４が前後にスライドすることによって、光ディスク２０を筐体２の外部から筐体２の内部へ搬送し、搬送した光ディスク２０に記録されているデータを再生する。このとき、ローダーパネル５の前面が前面パネル３と略同一面となって前面パネル３の孔３０１を塞ぐ。ローダーパネル５が孔３０１を塞ぐことによって、外部の埃や水滴が孔３０１から筐体２の内部に侵入するのを防止することができる。
【００１２】
従来の光ディスク再生装置１００は、ローダーパネル５によって、前面パネル３の孔３０１を塞いだ状態のとき、ローダーパネル５の外縁と孔３０１の内壁とが接触しないように、ローダーパネル５の上下側面及び左右側面にそれぞれ隙間ができるように設計されている。
【００１３】
しかしながら、従来の光ディスク再生装置は、ディスクローダー４を前後にスライドさせる場合において、ディスクローダー４をスムーズに前後方向にスライドさせるために、ディスクローダー４の表面とローダー保持部との間には隙間を設けておく必要がある。このため、このディスクローダー４とローダー保持部との間に設けられた隙間によってディスクローダー４が上下方向または左右方向に移動し、ローダーパネル５が孔３０１を塞いだ状態のときに、ローダーパネル５と孔３０１の間の隙間がローダーパネル５の右端部分と左端部分及びローダーパネル５の上端部分と下端部分とで異なることがある。
【００１４】
ローダーパネル５と孔３０１との間に生じたローダーパネル５の右端部分と左端部分及びローダーパネル５の上端部分と下端部分の隙間が異なると、隙間が大きくなった箇所から外部に浮遊している埃や水滴が筐体２の内部に入り、筐体２の内部のディスク再生部６の光ピックアップに付着して光ディスク２０に記録されているデータを正確に読み取ることができなくなる虞がある。
【００１５】
また、ローダーパネル５と孔３０１との間に生じたローダーパネル５の右端部分と左端部分及びローダーパネル５の上端部分と下端部分の隙間が更に異なると、ディスクローダー４をスライドしたときにローダーパネル５と前面パネル３が接触してしまい、ローダーパネル５が孔３０１を塞ぐことができなくなってしまう虞がある。
【００１６】
このような、ローダーパネル５と孔３０１の間の垂直方向の隙間及び水平方向の隙間がローダーパネル５の右端部分と左端部分及びローダーパネル５の上端部分と下端部分とで異なることを防止するために、ディスクローダーに固定するローダーパネルの上下及び左右位置を補正することができる光ディスク再生装置がある（例えば、特許文献１参照。）。
【００１７】
特許文献１に開示されている光ディスク再生装置によれば、ディスクローダーとローダー保持部との間に設けられた隙間によって、ローダーパネル５と孔３０１との間に生じたローダーパネル５の右端部分と左端部分及びローダーパネル５の上端部分と下端部分の隙間が異なる場合であっても、ローダーパネルの取付け位置を補正することによって、ローダーパネルと前面パネルの孔の間の右端部分と左端部分及び上端部分と下端部分の隙間を補正することができる。
【００１８】
【特許文献１】特開２００３−２９７０６３号公報
【発明の開示】
【発明が解決しようとする課題】
【００１９】
特許文献１に開示された光ディスク再生装置は、ディスクローダーの表面とディスクローダーの上下方向及び左右方向への移動を抑制するローダー保持部との間に生じた隙間によってディスクローダーの上下位置及び左右位置が異なった位置に移動してしまうと、その都度、ローダーパネルの取り付け位置を補正する必要があり、この補正作業が煩わしいものとなる。また、ローダー駆動部によってディスクローダーを前後にスライドさせる過程において、ディスクローダーの一部分がローダー保持部に接触すると、この接触によって異音が生じてしまい、光ディスク再生装置の品位が損なわれてしまう。
【００２０】
本発明は、前面パネルの孔を塞ぐローダパネルを備えるディスクローダーが前後にスライドすることによって光ディスクを搬送し、光ディスクに記録されているデータを再生する光ディスク再生装置において、ローダーパネルと前面パネルの孔の間の上下及び左右の隙間が異なることを防止すると共に、ディスクローダーが前後にスライドする際に異音が生じてしまうことを防止することができる光ディスク再生装置を提供することを目的とする。
【課題を解決するための手段】
【００２１】
本願の第一の態様における発明は、光ディスクを回転駆動させて光ディスクに記録されているデータを再生する光ディスク再生装置において、筐体と、前記筐体に固定され貫通する孔が形成された前面パネルと、前記筐体の外部から前記孔を通過して前後にスライドすることにより光ディスクを前記前面パネルの前方から前記筐体の内部へ搬送するディスクローダーと、前記ディスクローダーの前面に固定され前記ディスクローダーが前記筐体の内部にスライドすることにより前記前面パネルの前記孔を塞ぐローダーパネルと、前記筐体に固定され前記ディスクローダーの上下方向及び左右方向の移動を抑制するよう前記ディスクローダーを保持するローダー保持部と、前記筐体の内部に固定され前記ディスクローダーが搬送した光ディスクに記録されているデータを再生するディスク再生部とを備え、前記ディスクローダーは、左右側面にそれぞれ中央部分が内側に屈折したくさび型溝部を備え、前記ローダー保持部は、前記ディスクローダーの左右側面に備える前記くさび型溝部をそれぞれ内側に押圧する弾性体を備えることを特徴とする。
【００２２】
上記光ディスク再生装置において、前記ディスクローダーは、前記くさび型溝部の前方部分及び後方部分に当該くさび型溝部より更に内側に湾曲した凹部を備え、前記弾性体は、前記くさび型溝部及び前記凹部を押圧する部分に湾曲部を備えるようにしてもよい。
【００２３】
上記光ディスク再生装置において、前記ローダー保持部は、前記ディスクローダーの上面及び下面に当接する凸部を備えるようにしてもよい。
【００２４】
上記光ディスク再生装置において、前記弾性体は、バネとしてもよい。
【発明の効果】
【００２５】
本発明によれば、前面パネルの孔を塞ぐローダパネルを備えるディスクローダーが前後にスライドすることによって光ディスクを搬送し、光ディスクに記録されているデータを再生する光ディスク再生装置において、ローダーパネルと前面パネルの孔の間の上下及び左右の隙間が異なることを防止すると共に、ディスクローダーが前後にスライドする際に異音が生じてしまうことを防止することができる光ディスク再生装置を提供することができる。
【発明を実施するための最良の形態】
【００２６】
本発明の実施の形態を図面を参照して説明する。なお、従来技術で示した構成要素と同一の部分については同符号を用いる。
【００２７】
図１は、本発明の一実施例の光ディスク再生装置を示す図で、図１（ａ）は上面図、図１（ｂ）は正面図である。
図１（ａ）においては、下方を光ディスク再生装置１の前方とする。
【００２８】
光ディスク再生装置１は、筐体２、前面パネル３、ディスクローダー４、ローダーパネル５、ディスク再生部６、ローダー駆動部７、ローダー保持部８、ローダー保持部９、図示しない操作部及び制御部を備える。
【００２９】
筐体２は、前方が開口した箱型を形成する。制御部は、光ディスク再生装置１の図示しない操作部から出力された信号に基づいて、ディスク再生部６及びローダー駆動部７の制御等を行う。
【００３０】
前面パネル３は、貫通する孔３０１を備え、筐体２の前面に固定されている。ディスクローダー４は、上面の中央部分に凹部を形成すると共に当該凹部の中央部分に上下に貫通する孔を備え、後述する光ディスクを当該凹部によって保持するディスク保持部４０１を備える。ディスクローダー４は、下面の左側部分に前後方向に配設された歯部４０２を備える。
【００３１】
ローダーパネル５は、直方体を成し、接着剤によりディスクローダー４の前面に固定される。ローダーパネル５の水平方向及び垂直方向の長さは、前面パネル３の孔３０１の水平方向及び垂直方向の長さより小さい。ローダーパネル５は、ディスクローダー４が筐体２の内部にスライドしたときに前面が前面パネル３の前面と略同一面となるようにディスクローダー４に固定される。
【００３２】
ローダー駆動部７は、回転軸を備え、当該回転軸には、ピニオン７０１が固定される。このピニオン７０１は、ディスクローダー４の歯部４０２に噛合っている。ローダ駆動用モータ５は、制御部の制御により、ピニオン７０１を時計回り方向又は反時計回り方向に回転させる。ディスクローダー４は、ローダー駆動部７のピニオン７０１が時計回り方向又は反時計回り方向に回転することによって、ピニオン７０１に噛合った歯部４０２が前後方向に移動し、孔３０１を介して前面パネル３の前方と筐体２内部との間を自在にスライドする。
【００３３】
ローダー駆動部７は、制御部の制御により、ディスクローダー４を前後にスライドさせ、孔３０１より前方に突出する位置から筐体２の内部の位置までの間をスライドさせる。
【００３４】
ローダー保持部８及びローダー保持部９は、ディスクローダー４の左右となる位置にそれぞれ配設させた状態で筐体２に固定されている。ローダー保持部８及びローダー保持部９の構成については後述する。
【００３５】
ディスクローダー４は、ローダー駆動部７によって、光ディスクをディスク保持部４０１に保持した状態で孔３０１より前方に突出する位置から筐体２の内部へ搬送する。また、ディスクローダー４は、ローダー駆動部７によって、光ディスクを筐体２の内部から孔３０１より前方に突出する位置へ搬送する。
【００３６】
ディスク再生部６は、筐体２の内部に配設され、ターンテーブル６０１、光ピックアップ６０２、ピックアップ駆動部６０３、図示しないクランパ及びスピンドルモータを備える。ターンテーブル６０１は、制御部の制御により、ディスクローダー４によって筐体２の内部に搬送された光ディスクの中心孔をクランパとにより狭持し、光ディスクを保持する。スピンドルモータは、制御部の制御により、ターンテーブル６０１を回転させる。ピックアップ駆動部６０３は、制御部の制御により、ターンテーブル６０１の軸方向に光ピックアップ６０２をスライド駆動させる。光ピックアップ６０２は、光ディスクに記録されたオーディオデータを読み取り再生を行う。
【００３７】
図２は、本実施例の光ディスク再生装置１におけるディスクローダー４とローダー保持部８及びローダー保持部９の構成を説明する図で、図２（ａ）は上面図、図２（ｂ）は図２（ａ）のＡ−Ａ断面図、図２（ｃ）は、図２（ａ）のＢ−Ｂ断面図である。
図２（ａ）においては、図１（ａ）に示すように、ディスクローダー４が前面パネル３の前方にスライドした場合におけるディスクローダー４の位置とローダー保持部８及びローダー保持部９の位置を示している。
図２（ａ）においては、下方を光ディスク再生装置１の前方とする。
【００３８】
ディスクローダー４は、左右の側面にそれぞれ中央部分が内側に屈折したくさび型溝部４０３及び４０４を備える。ディスクローダー４は、くさび型溝部４０３及び４０４の前方部分にそれぞれくさび型溝部４０３及び４０４よりも更に内側に湾曲した前方凹部４０５及び４０６を備える。また、ディスクローダー４は、くさび型溝部４０３及び４０４の後方部分にそれぞれくさび型溝部４０３及び４０４よりも更に内側に湾曲した後方凹部４０７及び４０８を備える。
【００３９】
ローダー保持部８及びローダー保持部９は、それぞれディスクローダー４の左側及び右側の位置に配設され、それぞれバネ部１０を備える。ローダー保持部８及びローダー保持部９は、それぞれ内側に凹状を成す凹部８０１及び凹部９０１を備える。バネ部１０は、ローダー保持部８及びローダー保持部９の凹部８０１及び凹部９０１の側壁にそれぞれ接着剤により固着されている。バネ部１０は、コイル状を成すコイル部１０１を備えると共に、このコイル部１０１の一端部分に内側方向に湾曲を成す湾曲部１０２を備える。
【００４０】
バネ部１０は、図１（ａ）に示すように、ディスクローダー４が孔３０１の前方に突出した状態のとき、湾曲部１０２がディスクローダー４の後方凹部４０７及び後方凹部４０８に当接する位置に配設される。バネ部１０は、コイル部１０１の弾性により、後方凹部４０７及び４０８をそれぞれ内側に押圧する。
【００４１】
ローダー保持部８及びローダー保持部９は、それぞれ凹部８０１及び凹部９０１の上方部分及び下方部分にそれぞれ凸部８０２及び凸部９０２を備える。凸部８０２及び凸部９０２は、それぞれの頂点がディスクローダー４の上面及び下面にそれぞれ当接する位置に配設される。
【００４２】
図３は、本実施例の光ディスク再生装置１を示す図で、図３（ａ）は光ディスク２０をディスク保持部４０１に載置した後、ディスクローダー４が後方にスライドしている状態を示す上面図、図３（ｂ）は図３（ａ）の断面図である。
図３（ａ）においては、下方を光ディスク再生装置１の前方とする。
【００４３】
図１（ａ）に示すように、ディスクローダー４が前面パネル３の前方にスライドした状態で光ディスク２０をディスク保持部４０１に載置した後、図示しない操作部から再生指示が出力されると、ローダ駆動用モータ５は、制御部の制御により、ピニオン７０１を時計回り方向に回転させる。ディスクローダー４は、ローダー駆動部７のピニオン７０１が時計回り方向に回転することによって、ピニオン７０１に噛合った歯部４０２が後方に移動し、図３（ａ）に示すように、後方にスライドする。
【００４４】
ローダー保持部８及びローダー保持部９にそれぞれ備えたバネ部１０は、ディスクローダー４が後方にスライドすることによって、湾曲部１０２が後方凹部４０７及び後方凹部４０７にそれぞれ当接した位置から、くさび型溝部４０３及びくさび型溝部４０４に当接した位置に移動する。このとき、ローダー保持部８及びローダー保持部９にそれぞれ備えたバネ部１０は、コイル部１０１の弾性により、湾曲部１０２に当接したくさび型溝部４０３及びくさび型溝部４０４をそれぞれ内側に押圧する。
【００４５】
このことにより、ディスクローダー４は、ローダー保持部８及びローダー保持部９にそれぞれ備えたバネ部１０の湾曲部１０２がくさび型溝部４０３及びくさび型溝部４０４をそれぞれ内側に押圧していることにより、左右方向に移動することが抑制された状態を維持しながら後方にスライドすることができる。また、ディスクローダー４は、ローダー保持部８及びローダー保持部９の凸部８０２及び凸部９０２がそれぞれディスクローダー４の上面及び下面に当接していることにより、上下方向に移動することが抑制された状態を維持しながら後方にスライドすることができる。更に、ディスクローダー４は、ローダー保持部８及びローダー保持部９のそれぞれに備えたバネ部１０の湾曲部１０２がくさび型溝部４０３及びくさび型溝部４０４をそれぞれ内側に押圧した状態で後方にスライドすることにより、ディスクローダー４を後方にスライドさせる過程において、ディスクローダー４の一部分がローダー保持部８及びローダー保持部９に接触してしまい、異音が生じて光ディスク再生装置１の品位が損なわれてしまうことを防止する。
【００４６】
図４は、本実施例の光ディスク再生装置１を示す図で、図４（ａ）は、図３（ａ）に示す状態からディスクローダー４が更に後方にスライドし、ローダーパネル５の前面が前面パネル３の前面と略同一面となった状態を示す図、図４（ｂ）は、図４（ａ）の断面図である。
図４（ａ）においては、下方を光ディスク再生装置１の前方とする。
【００４７】
光ディスク再生装置１は、図３（ａ）に示すように、ディスクローダー４が後方にスライドした状態から、更に後方にスライドし、図４（ａ）及び図４（ｂ）に示すように、ローダーパネル５の前面が前面パネル３の前面と略同一面となった状態となる。この状態のとき、図示しない操作部から光ディスク２０の再生の指示が出力されると、制御部の制御により、ターンテーブル６０１がクランパとによって光ディスク２０の中心孔２１を狭持し、光ディスク２０を保持する。そして、制御部の制御により、スピンドルモータがターンテーブル６０１に保持された光ディスク２０を回転させ、ピックアップ駆動部６０３がターンテーブル６０１の軸方向に光ピックアップ６０２をスライド駆動させる。そして、光ピックアップ６０２は、光ディスク２０に記録されたオーディオデータを読み取り再生を行う。
【００４８】
図３（ａ）に示すように、ディスクローダー４が後方にスライドした状態から、更に後方にスライドし、ローダーパネル５の前面が前面パネル３の前面と略同一面となると、図４（ａ）及び図４（ｂ）に示すように、ローダー保持部８及びローダー保持部９のそれぞれに備えたバネ部１０は、湾曲部１０２がくさび型溝部４０３及びくさび型溝部４０４に当接した位置から前方凹部４０５及び前方凹部４０６にそれぞれ当接した位置に移動する。このとき、ローダー保持部８及びローダー保持部９のそれぞれに備えたバネ部１０は、コイル部１０１の弾性により、湾曲部１０２に当接した前方凹部４０５及び前方凹部４０６をそれぞれ内側に押圧した状態となる。
【００４９】
このことにより、ディスクローダー４は、ローダー保持部８及びローダー保持部９のそれぞれに備えたバネ部１０の湾曲部１０２が前方凹部４０５及び前方凹部４０６をそれぞれ内側に押圧することにより、左右方向に移動することが抑制された状態を維持することができる。また、ディスクローダー４は、ローダー保持部８及びローダー保持部９の凸部８０２及び凸部９０２がそれぞれディスクローダー４の上面及び下面に当接していることにより、上下方向に移動することが抑制された状態を維持することができる。更に、ディスクローダー４は、ローダー保持部８及びローダー保持部９のそれぞれに備えたバネ部１０の湾曲部１０２がくさび型溝部４０３及びくさび型溝部４０４よりも更に内側に湾曲した前方凹部４０５及び前方凹部４０６に当接していることにより、ローダーパネル５の前面が前面パネル３の前面と略同一面となった状態で前後方向の移動が抑制された状態を維持することができる。
【００５０】
図５は、本実施例の光ディスク再生装置１において、図４（ａ）及び図４（ｂ）の状態におけるローダーパネル５と前面パネル３を示す正面図である。
【００５１】
図４（ａ）及び図４（ｂ）に示すように、ローダー保持部８及びローダー保持部９のそれぞれに備えたバネ部１０の湾曲部１０２が前方凹部４０５及び前方凹部４０６をそれぞれ内側に押圧すると共に、ローダー保持部８及びローダー保持部９の凸部８０２及び凸部９０２がそれぞれディスクローダー４の上面及び下面に当接していることにより、ディスクローダー４の前面に固定されたローダーパネル５は、左右方向及び上下方向に移動することが抑止された状態となる。このことより、ローダーパネル５と孔３０１との間に生じた隙間がローダーパネル５の右端部分と左端部分及びローダーパネル５の上端部分と下端部分とで異なることを防止することができる。
【００５２】
以上の構成により、本実施例の光ディスク再生装置１は、図３（ａ）及び図３（ｂ）に示すように、ディスクローダー４を後方にスライドさせる過程において、ディスクローダー４の一部分がローダー保持部８及びローダー保持部９に接触してしまい、異音が生じて光ディスク再生装置１の品位が損なわれてしまうことを防止することができる。また、図４（ａ）及び図４（ｂ）に示すように、ローダーパネル５の前面が前面パネル３の前面と略同一面となった状態のとき、ローダーパネル５と孔３０１との間に生じた隙間がローダーパネル５の右端部分と左端部分及びローダーパネル５の上端部分と下端部分とで異なることを防止することができる。
【００５３】
また、図示しないが、図４（ａ）及び図４（ｂ）に示すように、ローダーパネル５の前面が前面パネル３の前面と略同一面となった状態からディスクローダー４を前方にスライドさせた場合も、図３（ａ）及び図３（ｂ）に示したのと同様に、ローダー保持部８及びローダー保持部９のそれぞれに備えたバネ部１０の湾曲部１０２がくさび型溝部４０３及びくさび型溝部４０４をそれぞれ内側に押圧し、ローダー保持部８及びローダー保持部９の凸部８０２及び凸部９０２がそれぞれディスクローダー４の上面及び下面に当接することにより、左右方及び上下方向に移動することが抑制された状態を維持しながらスムーズに前方にスライドすることができる。
【００５４】
更に、図１（ａ）に示すように、ディスクローダー４が前面パネル３の前方に突出した状態では、ローダー保持部８及びローダー保持部９のそれぞれに備えたバネ部１０の湾曲部１０２が後方凹部４０７及び後方凹部４０８にそれぞれ当接し、ローダー保持部８及びローダー保持部９の凸部８０２及び凸部９０２がそれぞれディスクローダー４の上面及び下面に当接していることにより、ディスクローダー４が左右方向または上下方向に移動することが抑制された状態を維持することができる。
【００５５】
また、図１（ａ）に示すように、ディスクローダー４が前面パネル３の前方に突出した状態では、ローダー保持部８及びローダー保持部９のそれぞれに備えたバネ部１０の湾曲部１０２がくさび型溝部４０３及びくさび型溝部４０４よりも更に内側に湾曲した後方凹部４０７及び後方凹部４０８に当接していることにより、ディスクローダー４が前後方向に移動することが抑制された状態を維持する。このことにより、例えば、ディスクローダー４を前面パネル３よりも前方にスライドさせている状態で、使用者が光ディスク２０をディスク保持部４０１に載置させようとしたとき、光ディスク２０を把持した指がディスクローダー４に接触してしまっても、ディスクローダー４が前後方向、上下方向または左右方向にズレてしまい、光ディスク再生装置１の品位が損なわれてしまうことを防止することができる。
【００５６】
本実施例の光ディスク再生装置１は、ローダー保持部８及びローダー保持部９のそれぞれにバネ部１０を備える構成としたが、内側が湾曲を成したゴム部材や圧縮コイルバネ等の弾性力を有する部材を用いても良い。
【図面の簡単な説明】
【００５７】
【図１】本発明の一実施例の光ディスク再生装置を示す図で、図１（ａ）は上面図、図１（ｂ）は正面図。
【図２】本実施例の光ディスク再生装置１におけるディスクローダー４とローダー保持部８及びローダー保持部９の構成を説明する図で、図２（ａ）は上面図、図２（ｂ）は図２（ａ）のＡ−Ａ断面図、図２（ｃ）は、図２（ａ）のＢ−Ｂ断面図。
【図３】本実施例の光ディスク再生装置１を示す図で、図３（ａ）は光ディスク２０をディスク保持部４０１に載置した後、ディスクローダー４が後方にスライドしている状態を示す上面図、図３（ｂ）は図３（ａ）の断面図。
【図４】本実施例の光ディスク再生装置１を示す図で、図４（ａ）は、図３（ａ）に示す状態からディスクローダー４が更に後方にスライドし、ローダーパネル５の前面が前面パネル３の前面と略同一面となった状態を示す図、図４（ｂ）は、図４（ａ）の断面図。
【図５】本実施例の光ディスク再生装置１において、図４（ａ）及び図４（ｂ）の状態におけるローダーパネル５と前面パネル３を示す正面図。
【図６】従来の光ディスク再生装置の概略構成を示す斜視図。
【符号の説明】
【００５８】
１  光ディスク再生装置、２  筐体、３  前面パネル、３０１  孔、
４  ディスクローダー、４０１  ディスク保持部、４０２  歯部、
４０３  くさび型溝部、４０４  くさび型溝部、
４０５  前方凹部、４０６  前方凹部、
４０７  後方凹部、４０８  後方凹部、５  ローダーパネル、
６  ディスク再生部、
６０１  ターンテーブル、６０２  光ピックアップ、６０３  ピックアップ駆動部、
７  ローダー駆動部、７０１  ピニオン、
８  ローダー保持部、８０１  凹部、８０２  凸部、
９  ローダー保持部、９０１  凹部、９０２  凸部、
１０  バネ部、１０１  コイル部、１０２  湾曲部、
２０  光ディスク、２１  中心孔、
１００  光ディスク再生装置
【図１】
2008257769.tif 000003
【図２】
2008257769.tif 000004
【図３】
2008257769.tif 000005
【図４】
2008257769.tif 000006
【図５】
2008257769.tif 000007
【図６】
2008257769.tif 000008